(57)【要約】【課題】テレビ受像機のフレーム部分に可動式のパネルを設けることにより、画面とアスペクト比の異なる画像信号の映像を違和感なく表示することのできるテレビ受像機用カバーパネルを提供する。【解決手段】１６：９型のテレビ受像機Ａは、画像表示部２左右周縁部のフレーム部３に、カバーパネル１を備えている。このカバーパネル１は、受像機Ａの画像表示部２の左右端部に設けられ、画面のブランク部分Ｓを覆うカバー部４と、カバー部４背面に設けられパネルを画面上に移動させる駆動機構５とからなる。駆動機構５は、さらにカバー部４の画面側端部に縦方向に設けられたシャフト６と、シャフト６の両端部に連結した歯車部７と、シャフト６下端部に連結し、シャフト６を回転させるモータ８と、画面上下のフレーム部３に水平方向に設けられたレール部９とからなる。この駆動機構５の作用により、カバー部４は、画面中央部に移動し、画面上に生じるブランク部分Ｓを覆い隠す。【選択図】  図１
2004173061.tif 000002
【特許請求の範囲】
【請求項１】
テレビ受像機の画面左右あるいは上下のいずれかの端部に設けられ、
前記画面に前記画面とアスペクト比の異なる画像を映し出した際に生ずる画面上のブランク部分を覆うカバー部と、前記カバー部を上下あるいは左右に移動させる駆動機構とを有することを特徴とするテレビ受像機用カバーパネル。
【請求項２】
前記カバー部が、前記画面の表面及び裏面を包み込むようにコの字型に形成されると共に、テレビ受像機のフレーム部の一部を形成するように設けられていることを特徴とする請求項１に記載のテレビ受像機用カバーパネル。
【請求項３】
前記カバー部が、テレビ受像機の音声出力手段を備えていることを特徴とする請求項１又は２に記載のテレビ受像機用カバーパネル。
【請求項４】
前記テレビ受像機に対して着脱自在に構成されていることを特徴とする請求項１乃至３のいずれか１項に記載のテレビ受像機用カバーパネル。
【請求項５】
テレビ受像機のチューナー部近傍に設けられ、
テレビ受像機の画面とアスペクト比の異なる画像を映し出した際に生ずる画面上のブランク部分を覆うように、前記画面の一部を収納する収納部を有することを特徴とするテレビ受像機用カバーパネル。
【請求項６】
テレビ受像機の画面左右あるいは上下のいずれかの端部に設けられ、
前記画面に、前記画面とアスペクト比の異なる画像を映し出した際に生ずる画面上のブランク部分を覆うカバー部と、
前記カバー部を前記画面に対して回動可能に支持する開閉機構とを有することを特徴とするテレビ受像機用カバーパネル。
【発明の詳細な説明】
【０００１】
【発明の属する技術分野】
本発明は、テレビ受像機の改良に係り、特に、テレビ受像機のフレーム部分に可動式のパネルを設けることにより、画面とアスペクト比の異なる画像信号の映像を違和感なく表示することのできるテレビ受像機用カバーパネルに関する。
【０００２】
【従来の技術】
近年の情報技術産業の発展は、家電機器のデジタル化をもたらし、２０００年１２月のＢＳデジタル放送の開始を皮切りに、テレビ放送のデジタル化も急速に進んでいる。このデジタル放送には走査線の数が多い高画質のハイヴィジョン放送等があるが、これらの放送は、画面のアスペクト比（横縦の比率）が従来の４：３でなく、１６：９のワイド型でなされる。このようなアスペクト比１６：９のワイド画面は人間の両眼で見る視野角に近く、また映画のシネマスコープの画面比に近いため、より高画質で、臨場感のある映像を楽しむことができる。
【０００３】
そして、こうした流れと共に、市場においては、１６：９のワイド放送に対応可能なテレビ受像機の供給が開始された。そして、近年注目されている液晶テレビやプラズマテレビもワイド型画面のものが多い。しかし、こうしたワイド型のテレビ受像機は未だ高額であり、また、現時点において地上波放送の多くは、４：３の画像信号のアナログ放送であることから、そのような受像機は、未だ十分に普及するに至っていない。したがって、現状では、４：３の信号で放送される地上波放送をワイド型受像機を用いて視聴する場合や、１６：９の信号で放送されるハイビジョン放送を従来の４：３の受像機で視聴する場合がある。
【０００４】
このような場合、そのアスペクト比の相違から、例えば、４：３の受像機で１６：９の放送を受信すると、左右の画面が欠落し、本来のワイド放送の醍醐味を失うこととなったり、反対に、１６：９の受像機で４：３の放送を受信すると、上下の画面が欠落し、字幕やテロップ等の演出上重要な情報が失われたりと、不都合が生じる場合がある。
【０００５】
これに対処するため、アスペクト比の異なる２種類の画面を表示できるようにした技術が提案されている。
【０００６】
例えば、特許文献１に開示された技術では、図１２に示すように、入来した映像信号を画像分析回路７１に入力し、その結果をアスペクト変換回路７２に入力する。そして、アスペクト変換回路７２は画像分析回路７１による指示によって入力された映像信号のアスペクトを変換し、ブラウン管７３に供給する構成としている。このような構成により、１６：９のワイド画面において、アスペクト比４：３の映像であると分析された際には、アスペクト変換回路によって、アスペクト変換されるので、視聴者は、アスペクト比の異なる画像を自己の受像機で受信しても、上下左右の情報が欠落する等の不都合なくアスペクト比の異なる画像を視聴することができる。
【０００７】
【特許文献１】
特開平１０−２３３９７７号
【０００８】
【発明が解決しようとする課題】
ところで、上記従来技術のように、画像のアスペクト比を変化させることなく画像自体を拡大縮小等して、アスペクト比の異なる画像をその比率の異なる画面上に写し出そうとした場合、今度は画面の上下左右に画像の映し出されない黒色のブランク部分が生まれる。すなわち、４：３の画面で１６：９の画像を映し出すと画面上下にブランクが生まれ、反対に１６：９の画面で４：３の画像を映し出すと画面左右にブランクが生まれることとなる。
【０００９】
このような画面上に生ずるブランク部分は、通常黒色であるため、テレビ受像機のフレーム部との色彩の違いから、画面が必要以上に小さく見えてしまったり、ブランク部分に気を取られてしまう等、視聴者に視覚的な違和感を与えこととなる。また、画面上の同位置に長時間ブランク部分が表示されることによって、ディスプレイの焼き付きが起こることともなりかねない。さらに、今後、受像機の液晶画面化やプラズマ画面化が進むと、画面の処理の上で、ブランク部分が従来のブラウン管画面以上に目立つようになる。
【００１０】
本発明は上記のような従来技術の問題点に鑑みなされたものであり、その目的は、テレビ受像機のフレーム部分に設けられ、画像のアスペクト比率に応じて画像上生じるブランク部分を取り除き、視聴者に画像比率の変化を感じさせない、テレビ受像機用カバーパネルを提案することにある。
【００１１】
【課題を解決するための手段】
上記目的を達成するため、請求項１記載の発明は、テレビ受像機の画面左右あるいは上下のいずれかの端部に設けられ、前記画面に前記画面とアスペクト比の異なる画像を映し出した際に生ずる画面上のブランク部分を覆うカバー部と、前記カバー部を上下あるいは左右に移動させる駆動機構とを有することを特徴とする。
【００１２】
請求項６記載の発明は、テレビ受像機の画面左右あるいは上下のいずれかの端部に設けられ、前記画面に、前記画面とアスペクト比の異なる画像を映し出した際に生ずる画面上のブランク部分を覆うカバー部と、前記カバー部を前記画面に対して回動可能に支持する開閉機構とを有することを特徴とする。
【００１３】
以上のような請求項１及び６記載の発明では、テレビ受像機の端部に、受像機やフレーム部分と同様な材質、色彩からなるカバー部を設けることによって、画像と画面のアスペクト比の相違により画面上にブランク部分を覆い隠すことができる。したがって、視聴者は視界にこのブランク部分が入ることによる違和感を抱くことなく、映像を楽しむことが可能となる。また、液晶やプラズマ等の画面からなるテレビ受像機では、画面上左右端部あるいは上下端部に、ブランク部分が長時間表示されると、ディスプレイの焼き付きが起こる場合があるが、本発明では、このブランク部分をカバー部で覆い隠すとともに、その部分に例えばスクリーンセイバーを用い、さらに機能終了時にコンバーゼンス調整を行うことにより、このような問題点を解決することができる。
【００１４】
請求項２記載の発明は、請求項１に記載のテレビ受像機用カバーパネルにおいて、前記カバー部が、前記画面の表面及び裏面を包み込むようにコの字型に形成されると共に、テレビ受像機のフレーム部の一部を形成するように設けられていることを特徴とする。以上のような請求項２記載の発明では、請求項１に記載の発明に加えて、カバー部をテレビ受像機のフレーム部の一部としたことにより、例えば、１６：９の画面に４：３の映像を映しだしたとしても、視聴者からはテレビ受像機全体の大きさが変化したように感じられ、外観上何らの違和感を抱くことはなく視聴を楽しむことができる。
【００１５】
請求項３記載の発明は、請求項１又は２に記載のテレビ受像機用カバーパネルにおいて、前記カバー部が、テレビ受像機の音声出力手段を備えていることを特徴とする。以上のような請求項３記載の発明では、カバー部と音声出力手段すなわちスピーカ部とを一体に構成することができるので、省スペース化やデザイン性の向上を図ることが可能となる。
【００１６】
請求項４記載の発明は、請求項１乃至３のいずれか１項に記載のテレビ受像機用カバーパネルにおいて、前記テレビ受像機に対して着脱自在に構成されていることを特徴とする。以上のような請求項４記載の発明では、本発明に係るカバーパネルを、既存のテレビ受像機に用いることもできるため、利便性の向上を図ることができる。
【００１７】
請求項５記載の発明は、テレビ受像機のチューナー部近傍に設けられ、テレビ受像機の画面とアスペクト比の異なる画像を映し出した際に生ずる画面上のブランク部分を覆うように、前記画面の一部を収納する収納部を有することを特徴とする。以上のような請求項５記載の発明では、画面の一部を、カバーパネルに収納することにより、ブランク部分を覆い隠すことが可能であるので、視聴者が視界にブランク部分が入ることによる違和感や、テレビ受像機全体から受ける外観上の違和感を抱くことを防ぐことができる。
【００１８】
【発明の実施の形態】
次に、本発明の実施の形態について図１〜図１１を参照して具体的に説明する。なお、本実施の形態におけるテレビ受像機は、説明の便宜上、液晶画面あるいはプラズマ画面を用いたもののみを表しているが、本発明は、これらの受像機に採用することができるに限られず、従来からあるブラウン管を用いた受像機にも採用可能である。また、各部材の図面上の縮尺は、実施の形態における例示的なものであって、実際にはテレビ受像機の大小や画面の大小に応じて、適宜変更可能なものである。
【００１９】
〔１．第１の実施の形態〕
〔１−１．第１の実施の形態の構成〕
図１及び図２は、本発明の第１の実施の形態（以下、第１実施形態という。）に係るテレビ受像機Ａ、Ｂに取りつけられたテレビ受像機用カバーパネル１の全体構成を表した斜視図及びであり、図１は、１６：９の画面を有する受像機Ａを、図２は、４：３の画面を有する受像機Ｂをそれぞれ示している。図１に示すように、テレビ受像機Ａは、画像表示部２左右周縁部のフレーム部３に、カバーパネル１を備えている。このカバーパネル１は、画像信号のアスペクト比が画面の比率とは異なるもの、すなわち４：３の画像信号を受けた場合に画面上左右端に生ずるブランク部分Ｓを覆うものである。同様に、図２に示すテレビ受像機Ｂは、画像表示部１２上下周縁部のフレーム部１３に、ブランク部分Ｓを覆うカバーパネル１０を備えたものである。ここで、カバーパネル１とカバーパネル１０は、その作用において基本的に同様な構成であり、単に、テレビ受像機の設置個所が異なるものである。したがって、以下双方の共通する構成については、カバーパネル１についてのみ詳述し、カバーパネル１０については、図面を示すのみで説明を省略する場合がある。
【００２０】
カバーパネル１は、受像機Ａの画像表示部２の左右端部に設けられ、フレーム部３上下のレールＬを介して受像機Ａに保持されている。また、カバーパネル１は、画面のブランク部分Ｓを覆うカバー部４と、カバー部４背面に設けられパネルを画面上に移動させる駆動機構５とからなる（図１）。カバー部４は、フレーム部３と同様の配色、素材からできており、通常時には、画面の両端のフレーム部３と重なった状態にある。このカバー部４の幅Ｎは、図中のブランク部分Ｓの幅Ｎと略同一である。例えば、受像機Ａが１６：９の画面を有する２８型のもので、画面寸法が横約６２０ｍｍ、縦約３５０ｍｍであるとすると、左右のブランク部分の幅Ｎは、約７２ｍｍ程度である。
【００２１】
図３に示すように、駆動機構５は、カバー部４の画面側端部に縦方向に設けられたシャフト６と、シャフト６の両端部に連結した歯車部７と、シャフト６下端部に連結し、シャフト６を回転させるモータ８と、画面上下のフレーム部３に水平方向に設けられたレール部９とからなる。また、受像機Ａ内部には、受像機Ａが受信する画像信号のアスペクト比が１６：９であるか４：３であるかが判断し、その判断に応じてモータ８の駆動を制御する制御部Ｃが設けられている（図４）。
【００２２】
シャフト６は、金属若しくは合成樹脂等からなる棒状体からなり、上下フレーム部３を縦断する程度の長さがある。また、断面形状については、円で形成しても多角形で形成してもよく、特に限定されるものではない。レール部９は、画面上下のフレーム部分３上に左右端部から中央部に向けて設けられており、その断面形状は、図３（ｂ）に示すように凹凸型で構成されている。また、レール部９に用いられる材料としては、合成樹脂、木材、あるいは金属等、レール部９の凹凸断面形状を確保できるものであればいずれかは問わない。ただし、フレーム３及びカバー部４と同様、視聴者の視覚に入るものであるため、フレーム３及びカバー部４と同様の色彩、材質からなるものを用いたほうがよい。
【００２３】
歯車部７は、レール部９と同様の材料によって構成され、中心に設けられた孔を介して、シャフト６両端部にシャフト６と一同回転するように連結している。また、歯車形状がレール部９の凹凸形状と噛み合うようになっており、シャフト６の回転に伴って、レール上を回転しながら移動するように構成されている（図３（ｂ））。モータ８は、制御部Ｃの出力によって回転するように構成されており、またテレビ受像機Ａとその電源を共有している。
【００２４】
制御部Ｃは、上述したように、テレビ受像機Ａ内部の所定のプログラムにより動作するコンピュータ若しくは専用の回路として構成され、図４に示すように、受像機に送られてくる画像信号に含まれる情報に基づいて、その画像のアスペクト比が如何なるものであるかを判定する判定部Ｃ１と、それに応じてモータ８を作動させる指示を出力する指示出力部Ｃ２とを有している。したがって、画面比率１６：９のテレビ受像機Ａが４：３の画像信号を受信した場合には、モータを回転させてカバー部４を画面中央方向に移動させ、その状態から１６：９の画面信号を受信した場合には、前記回転方向とは反対にモータを回転させることによってカバー部４をフレーム部３側に移動させるようになっている。また、画像信号を受信したことによって、自動的に作動するのみならず、視聴者のリモコン操作等によってもモータ８を回転させることができるように構成されている。
【００２５】
以上のような駆動機構５においては、モータ８が制御部Ｃの出力によって、駆動すると、それと連結したシャフト６が回転すると共に、シャフト６に連結した歯車部７も回転し、この歯車部７がレール部９上を移動することによって、カバー部４が画面上を左右に移動するように構成されている。
【００２６】
図２に示すように、受像機Ｂに設けられたカバーパネル１０は、上記カバーパネル１と同様な構成のパネルが、画面の上下に設けられ、画面左右周縁部に縦方向に向かってレール部１９が設けられている。ここで、受像機Ｂに生じるブランク部分の幅Ｎは、受像機Ｂが４：３の画面を有する２１型のもので、画面寸法が横約４３０ｍｍ、縦約３２０ｍｍであるとすると、約４０ｍｍ程度となる。そして、カバー部４の幅Ｎもこのようなテレビ受像機Ｂの大きさによって幅Ｎが定められている。なお、その他の駆動機構１５及び制御部Ｃ等の構成については、上記の受像機Ａに設けられたカバーパネル１と同様であるため省略する。
【００２７】
〔１−２．第１の実施の形態の作用効果〕
以上のような構成からなる第１の実施の形態に係るテレビ受像機用フレーム部１は、以下のように作用する。なお、テレビ受像機ＡとＢとの作用は、カバーパネルの取り付け位置が異なるのみで、具体的な作用は同様であるので、ここではテレビ受像機Ａの作用についてのみ説明を行う。
【００２８】
まず、画面比率が１６：９のワイド型のテレビ受像機Ａにおいては、４：３の画像信号が受信された場合、映像の拡大や引き延ばしはなされず、１６：９画面に４：３の映像を映し出されることとなる。したがって、画面上には、図１に示すような左右部分に黒塗りで如何なる映像情報も含まないブランク部分Ｓが生じる。
【００２９】
そして、このテレビ受像機Ａが画像信号を受信すると同時に、テレビ受像機Ａ内部に設けられた制御部Ｃの判定部Ｃ１が、画像信号が１６：９であるか４：３であるかを判定する。判定部Ｃ１が、アスペクト比４：３であると判断した場合には、今度は、指示出力部Ｃ２が、その判定結果に応じて駆動機構５の下端部に設けられたモータ８に対して回転指示を出力する。モータ８はこの出力信号に応じて時計回りに回転する、モータ８に連結したシャフト６と共に歯車部７も同一方向に回転し、歯車部７は、画面左右端部のフレーム部３に設けられたレール部９を画面中央方向に向かって移動する。これにより、フレーム部３に重なっていたカバー部４が、画面中央部に移動し、画面左右に生じたブランク部分Ｓを覆い隠すようになる。
【００３０】
ここで、制御部Ｃは、テレビ受像機Ａの大きさ（型）に対するブランク部分Ｓの幅Ｎ分モータを回転させると、モータ８を停止させるように構成されて、また、これによりカバー部４もその時点で止まることとなる。したがって、カバー部４は、ブランク部分Ｓをすべて覆い隠した時点で停止することとなる。
【００３１】
そして、停止した後であっても、視聴者がリモコンＲ等を通じて制御部Ｃの指示出力部Ｃ２にカバー部４を左右に移動させる旨の操作を行った場合には、それに応じて指示出力部Ｃ２がモータ８を回転させるようになっている。また、４：３の画像信号を受信後、視聴者のチャンネル操作等により、１６：９の画像信号に変更された場合には、判定部Ｃ１がその変化に応じて判定し、指示出力部Ｃ２によってモータ８に反時計回りとなるように出力する。これにより、１６：９の画面に合わせて、画面側からフレーム３側に向けカバー部４が移動することとなる。さらに、制御部Ｃを用いれば、上記のような自動的な作動を一切用いず、視聴者のリモコンＲ等によるマニュアル操作のみによっても、カバー部４の開閉を行うことが可能である。
【００３２】
以上のように作用する第１の実施の形態に係るテレビ受像機用フレーム部１は、以下のような効果を奏する。すなわち、画像と画面のアスペクト比の相違により生ずる画面上のブランク部分Ｓは、テレビ受像機ＡまたはＢのフレーム部３、１３との色彩の違い等から、視聴者は画面が必要以上に小さく感じたり、ブランク部分Ｓに気を取られてしまう等、視聴者に対して視覚的な違和感を与えこととなっていたが、本実施例では、同様な材質、色彩からなるカバー部４によってブランク部分Ｓを覆い隠すことができるので、視聴者は違和感を抱くことなく、画像を楽しむことが可能となる。
【００３３】
また、画面上左右端部あるいは上下端部に長時間ブランク部分Ｓが、表示されることによってディスプレイの焼き付きが起こることともなり兼ねず、また、今後、受像機の液晶画面化やプラズマ画面化が進むと、画面の処理の上で、ブランク部分が従来のブラウン管画面以上に目立つようになることが考えられるが、本実施例では、カバー部４で覆い隠したブランク部分Ｓにスクリーンセイバーまたは機能終了時にコンバーゼンス調整を行うことにより、このような問題点を解決することができる。
【００３４】
さらに、カバー部４の開閉動作は、制御部Ｃの判定部Ｃ１が４：３あるいは１６：９の画像信号のいずれであるかを判定し、その判定結果に応じて指示出力部Ｃ２がモータ８に回転指示を出力することによって行われるので、視聴者が特に操作することなく、自動的に行うことができる。
【００３５】
〔２．第２の実施の形態〕
次に本発明第２の実施の形態に係るテレビ受像機用カバーパネル２０について説明する。なお、本実施例におけるカバーパネル２０の駆動機構２２におけるシャフト、歯車部及びモータ並びに受像機Ｘ内部の制御部の構成は、上記第１の実施の形態におけるものと同様であるので、適宜説明を省略する。また、本実施の形態においては、カバーパネル２０を用いる受像機として、アスペクト比１６：９のワイド型受像機を取り上げるが、第１の実施の形態に示したと同様、１６：９の場合と４：３の場合ではカバーパネル２０の取りつけ位置に差異があるのみで、それ以外の構成については同様であるため、４：３の受像機にも用いることができるものである。
【００３６】
〔２−１．第２の実施の形態の構成〕
第２の実施の形態に係るカバーパネル２０は、図５に示すように、テレビ受像機Ｘのカバーパネル２０を、スピーカ２１と一体にして画面左右端部に取りつけて構成したものである。すなわち、本実施の形態におけるカバーパネル２０は、画面左右端のフレーム部分を兼ねるものである。
【００３７】
具体的には、カバーパネル２０は、テレビ受像機Ｘフレーム部２３上下に設けられた凹型のレールＬに、凸型の爪２３が噛み合うようにして保持されながら、画面左右端部を覆うようにコの字型を形成している。カバーパネル２０の画面側を前部２０ａとし、背面側を後部２０ｂとすると、前部２０ａの表面には、受像機Ｘ内部機器と接続されたスピーカ２１を備えており、後部２０ｂの上下端部には、上記第１の実施の形態における駆動機構５と同様の構成からなる駆動機構２２が設けられ、受像機Ｘ内部にはこの駆動機構２２と電気的に接続した、上記第１の実施の形態と同様の構成からなる制御部Ｃが設けられている。そして、この駆動機構２２は、受像機Ｘ背面左右端部に縦方向に設けられたシャフト２２ａと、シャフト２２ａの両端部に連結した歯車部２２ｂと、シャフト２２ａ下端部に連結し、シャフト２２ａを回転させるモータ２２ｃと、受像機Ｘ背面のレール孔２４上下に水平方向に設けられたレール部２２ｄとからなる。
【００３８】
このようなカバーパネル２０は、図に示すように、テレビ受像機Ｘの通常の使用状態である１６：９の画像信号受信時には、画面の左右端部に停止した状態になっており、画面上部から見ると、画面端部Ｅとカバーパネル２０とに隙間が生じた状態になっている。そして、４：３の画像信号受信時にはカバーパネル２０は、図中矢印方向に移動するため、この隙間はなくなり、画面端部Ｅとカバーパネル２０内周面とは、密着するように構成されている。また、上記のように、本実施例では、通常時にはカバーパネル２０と画面端部Ｅとの間に隙間ができ、それに対するカバーを何ら設けていないが、美観上好ましくない場合には、受像機本体に収納されるような形のカバーを設けて構成してもよい。
【００３９】
〔２−２．第２の実施の形態の作用効果〕
以上のような構成からなる第２の実施の形態におけるカバーパネル２０は、次のように作用する。すなわち、上記第１の実施の形態と同様、画面比率が１６：９のワイド型のテレビ受像機Ｘにおいては、４：３の画像信号を受信すると、画面上には４：３の映像がそのまま映し出され、画面上には、図５に示すような左右部分（ここでは左側のみ図示）に黒塗りで如何なる映像情報も含まないブランク部分Ｓが生じる。
【００４０】
そして、このテレビ受像機Ｘに画像が映し出されると同時に、テレビ受像機Ｘ内部の制御部Ｃの判定部Ｃ１が、画像信号が１６：９であるか４：３であるかを判定し、画像信号がアスペクト比４：３であると判定した場合には、それに応じて指示出力部Ｃ２が、画面後部２０ｂに設けられた駆動機構２２の下端部に設けられたモータ２２ｃに対して回転指示を出力し（図４）、このモータ２２ｃの回転に伴ってシャフト２２ａ及び歯車部２２ｂも同一方向に回転する。これにより、画面両端部のカバー部２１が、画面後部２０ｂのレール２２ｄ及び受像機Ｘ上下の凹型レールＬに沿って、画面中央部に移動し、画面左右に生じたブランク部分Ｓを覆い隠すようになる。制御部は、上記第１の実施の形態と同様、ブランク部分Ｓの幅Ｎ分モータ２２ｃを回転させたところで、停止命令を出力するため、カバーパネル２０は、ブランク部分Ｓ全体を覆い隠したところで、停止することとなっている。また、この停止の時点では、未だカバーパネル２０と画面端部Ｅとの間には、後述の手動操作による微調整を見越して、若干の隙間が空いている状態となっている。
【００４１】
停止した後であっても、視聴者がリモコン等を通じて制御部Ｃの指示出力部Ｃ２に対してカバー部４を左右に移動させる旨の操作を行った場合には、それに応じてモータを作動させることにより、カバーパネル２０の位置を手動操作できるようになっている。また、４：３の画像信号を受信後、視聴者のチャンネル操作等により、１６：９の画像信号に変更された場合には、判定部Ｃ１はその変化に応じて画像信号を判定すると共に、その結果に応じて指示出力部Ｃ２がモータ２２ｃに出力することによって、１６：９の画面に合わせて、画面側からフレーム側に向けカバー部２０が移動することとなる。
【００４２】
以上のように作用する第２の実施の形態におけるテレビ受像機Ｘのカバーパネル２０は、上記第１の実施の形態の効果に加えて、次のような作用を奏する。すなわち、カバーパネル２０をスピーカ２１と一体に構成し、テレビ受像機Ｘの左右両端のフレーム部としたため、カバーパネル２０が受像機表裏に設けられたレール上を左右に移動して画面に生じるブランク部分Ｓを覆い隠すため、視聴者からはテレビ受像機Ｘ全体の大きさが変化したように感じられ、１６：９の画面に４：３の映像を映しだしたとしても、視聴者が何らの違和感を抱くことはない。
【００４３】
すなわち、本実施例のカバーパネル２０によれは、外観上何らの違和感もなく、アスペクト比の違う映像を映し出すことのできるテレビ受像機Ｘを提供することができるものである。
【００４４】
〔３．第３の実施の形態〕
本発明第３の実施の形態は、図６に示すように、４：３の画面比率からなるテレビ受像機Ｙの下部に本発明に係るカバーパネル３０を設けたものである。なお、本実施例においては、スピーカ部３２をカバーパネル３０に設ける構成としているが、こうした構成はあくまで例示であり、スピーカ部３２は本体部Ｍまたは、画面部の左右端部等に設ける構成とすることも可能である。
【００４５】
カバーパネル３０は、テレビ受像機Ｙ本体部Ｍの上部に取り付けられ、画像表示部Ｇの水平面における断面積と略同一な断面積からなる凹状の収納部３１を有し、画像表示部Ｇはその下端部から後述する駆動機構３３の作用によって、収納部３１内に収納されるようになっている。
【００４６】
また、テレビ受像機Ｙは、アスペクト比が画像表示部Ｇと異なる１６：９の画像を表示する場合には、図に示すように画面上部に寄せて表示するように構成されているため、１６：９の画像を映し出す際のブランク部分Ｓは、画面下端部にのみ生じることとなる。このブランク部分の幅Ｎは、例えば、受像機Ｙが２１型のもので、画面寸法が横約４３０ｍｍ、縦約３２０ｍｍであるとすると、計算によって約８０ｍｍ程度であると定まる。したがって、収納部３１の垂直方向の高さ（深さ）は、上記実施例と同様、手動操作による動作を考慮し、テレビ受像機Ｙの大きさから計算で得られた幅Ｎよりも若干長く（Ｎ＋α）構成されている。
【００４７】
そして、画像表示部Ｇの表面（画面側）と裏面とには、画像表示部Ｇの上下動を制御する駆動機構３３が設けられている。具体的には、裏面には、画面下端に水平方向に設けられたシャフト３３ａと、このシャフト３３ａの左右両端部に一同回転するように連結された歯車部３３ｂ、この歯車部３３ｂと噛み合い画面背部に取り付けられたレール３３ｃと、このシャフト３３ａの下端部には、この駆動機構３３の回転駆動源となるモータ３３ｄが設けられている。
【００４８】
一方、図７に示すように、画像表示部Ｇ前面の下部両端側には、収納部３１の高さ分の長さがある凸型のレール３３ｅが画面下端部から垂直方向に設けられている。また、収納部３１のレール３３ｅに対応する位置には、前部レール３２ｅの凹型と嵌合する凸型部がレール３３ｅの長さと同一の長さで、収納部３１下端部から垂直方向に設けられている。さらに、テレビ受像機Ｙ内部には、上記実施の形態と同様な構成からなる制御部Ｃが設けられている。
【００４９】
次に、上記のような構成からなる第３の実施の形態に係るテレビ受像機用カバーパネル３０の作用効果について説明する。なお、この駆動機構３３の具体的な作用については、上記第１の実施の形態及び第２の実施の形態における駆動機構５及び２２と同様であるので省略する。
【００５０】
カバーパネル３０は、駆動機構３３及び制御部Ｃの作用によって、テレビ受像機Ｙが受信する画像信号のアスペクト比が如何なるものであるかに応じて画像表示部Ｇを上下に移動させることができる。したがって、４：３の画面を有するテレビ受像機Ｙに１６：９の画像信号からなる映像を映しだしたとしても、画面下部に生じるブランク部分Ｓは、カバーパネル３０によって覆い隠されることとなるので、視聴者にブランク部分が視界に入る違和感やテレビ受像機全体から受ける外観上の違和感を与えることなく、アスペクト比の異なる画像を映し出すことが可能となる。
【００５１】
〔４．第４の実施の形態〕
本発明第４の実施の形態は、図８に示すように、１６：９の画面比率からなるテレビ受像機Ｚの下部に本発明に係るカバーパネル４０を設けたものである。カバーパネル４０は、テレビ受像機Ｚの本体部Ｍの上部に設けられ、図８（ｂ）の側面図から分かるように、凹状の収納部４１を備えている。この収納部４１は、その上端部が１６：９型画像表示部４２の下端部と近接し、内面形状が図９（ａ）において２点鎖線で示すように、両端部に幅Ｐ分の間隔をもち、その下方から円弧状をなしている。一方、画像表示部４２は、背面中心部に設けられた支持部４３によって、９０度の間欠回転をするように支持されている。
【００５２】
このような構成からなるカバーパネル４０は、以下のように作用する。すなわち、テレビ受像機Ｙにおいて、画像表示部４２とアスペクト比の異なる４：３の映像を映し出すに際しては、まず、図９（ａ）にその過程を示すように、画像表示部４２を左右いずれかの方向に９０度回転させる。この回転の際、画像表示部４２の頂点部分Ｐは、収納部４１の円弧部分と近接して、その円弧形状を描きながら移動する。そして、図９（ｂ）に示すように、画像表示部４２が縦向きになると、画像表示部４２下方部分は、収納部４１に収納される。
【００５３】
このような状態の画像表示部４２に４：３の画像を映し出した場合、本テレビ受像機Ｙでは、画面上部に画像を寄せて映し出すようにされているため、１６：９と４：３のアスペクト比の違いから生じるブランク部分Ｓは、画像表示部４２の下部に集中する。そして、収納部４１の高さＭが、このブランク部分Ｓの幅＊と同一に設定されているので、ブランク部分Ｓはすべてカバーパネル４０に覆い隠される。したがって、視聴者の視界にブランク部分Ｓが入ることはなく、違和感を抱くことはない。
【００５４】
〔５．他の実施の形態〕
本発明は、上記のような実施の形態に限定されるものではなく、例えば、次のような実施の形態も含む。例えば、図１０に示すように、テレビ受像機Ｐにカバーパネル５０を１６：９の画像表示部５２の左右端部（４：３の画面では上下端部、以下同じ）に観音開き状に取り付けたものも含まれる。
【００５５】
このカバーパネル５０は、カバー部５１を画像表示部５２の両端部に複数箇所（ここでは２箇所）設けられた開閉機構５３を介して取り付けられている。そして、このカバー部５１上下のフレーム部５４に対応する位置には、磁石等のチャック部材５１ａが内蔵されており、閉扉時には、画像表示部５２表面部に設けられた磁石等のチャック部材５２ａを介して、表面部に固定される。
【００５６】
ここで、カバー部５１の幅Ｗは、上記実施の形態と同様、画像表示部５２上にアスペクト比の異なる４：３の画像を映し出した場合に生じるブランク部分Ｓをすべて覆い隠すように設定されている。したがって、本実施の形態のテレビ受像機Ｚに４：３の画像が映し出された場合であっても、ブランク部分Ｓは、カバー部５１によって覆い隠されるため、視聴者は、ブランクが視界に入ることによる違和感を抱くことはない。
【００５７】
また、上記実施形態におけるカバーパネルは、いずれも、テレビ受像機にあらかじめ取り付けられた態様であったが、本発明は、そのような構成に限られず、上記実施の形態に示したいずれもが、既存のテレビ受像機に取り付けることのできる態様も含むものである。
【００５８】
このよう構成されたカバーパネルによれば、上記実施の形態と同様、ブランク部分が視界に入ることによる違和感を視聴者に与えることはない。また、このようなカバーパネルはテレビ受像機に対して着脱自在であるので、既存のテレビ受像機に用いることもでき、利便性が高い。
【００５９】
また、上記第１、第３及び他の実施の形態で説明したカバーパネルにおいては、テレビ受像機のフレーム部部分にスピーカが設けられている場合に、かかるスピーカをも覆い隠してしまうことが考えられるが、そのような場合には、図１１に示すようなカバーパネル６０を用いることができる。
【００６０】
すなわち、スピーカ６２の音声を遮らないために、カバーパネル６０のカバー部６１表面にスピーカ６２の形状に合わせたメッシュ体を形成したり、複数の小孔を設けることによる音声通用孔６３を設けて構成することも可能である。
【００６１】
【発明の効果】
以上説明したように、本発明によれば、テレビ受像機のフレーム部分に、画像のアスペクト比率に応じて画像上生じるブランク部分を取り除き、視聴者に画像比率の変化を感じさせない、テレビ受像機用カバーパネルを提供することができる。
【図面の簡単な説明】
【図１】本発明の第１の実施の形態に係るカバーパネルの全体構成を示す斜視図（ａ）及び正面図（ｂ）。
【図２】本発明の第１の実施の形態に係るカバーパネルの全体構成を示す斜視図（ａ）及び正面図（ｂ）。
【図３】本発明の第１の実施の形態に係る駆動部の構成を示す模式図。
【図４】本発明の実施の形態に係る制御部の構成を示すブロック図。
【図５】本発明第２の実施の形態に係るカバーパネルの全体構成を示す斜視図（ａ）及び正面図（ｂ）。
【図６】本発明第３の実施の形態に係るカバーパネルの構成を示す正面図。
【図７】本発明第３の実施の形態に係るカバーパネルの詳細な構成を示す側面図（ａ）及び断面図（ｂ）。
【図８】本発明第４の実施の形態に係るカバーパネルの構成を示す正面図（ａ）及び側面図（ｂ）。
【図９】本発明第４の実施の形態に係るカバーパネルの構成及び作用を示す正面図。
【図１０】本発明他の実施の形態に係るカバーパネルの構成を示す斜視図。
【図１１】本発明他の実施の形態に係るカバーパネルの構成を示す斜視図。
【図１２】従来技術に係るテレビ受像機の内部構成を示すブロック図。
【符号の説明】
１、１０、２０、３０、４０、５０、６０…カバーパネル
２、１２、５２、Ｇ…画像表示部
３、１３、５４…フレーム部
４、５１、６１…カバー部
５、１５、２２、３３…駆動機構
６、２２ａ、３３ａ…シャフト
７、２２ｂ、３３ｂ…歯車部７
８、２２ｃ、３３ｄ…モータ
９、１９、２２ｄ、３３ｃ…レール部
２０ａ…前部
２０ｂ…後部
２１、３２、６２…スピーカ
２３…爪
２４…レール孔
３１、４１…収納部
４３…支持部
５１ａ、５２ａ…チャック部材
５３…開閉機構
６３…音声通用孔
Ａ、Ｂ、Ｘ、Ｙ、Ｚ、Ｐ…テレビ受像機
Ｃ…制御部
Ｃ１…判定部
Ｃ２…指示出力部
Ｌ…レール
Ｒ…リモコン
Ｓ…ブランク部分
【図１】
2004173061.tif 000003
【図２】
2004173061.tif 000004
【図３】
2004173061.tif 000005
【図４】
2004173061.tif 000006
【図５】
2004173061.tif 000007
【図６】
2004173061.tif 000008
【図７】
2004173061.tif 000009
【図８】
2004173061.tif 000010
【図９】
2004173061.tif 000011
【図１０】
2004173061.tif 000012
【図１１】
2004173061.tif 000013
【図１２】
2004173061.tif 000014